(57)【要約】【課題】  ユーザー情報を取得する取得手段を交換可能に設けられた画像読取装置において、通信ケーブルの取り扱いを容易に行うことができる。【解決手段】  シートの画像を読取る読取り手段を備えるリーダユニット１２と、リーダユニット１２に対して回動可能に設けられた原稿搬送装置１０を備える画像読取装置２において、原稿搬送装置１０はカードリーダ１８のＵＳＢケーブル１８ｂを格納する格納部２３を備える。【選択図】  図４
2018064156.tif 000002
【特許請求の範囲】
【請求項１】
シートの画像を読取る読取り手段を備える読取ユニットと、
前記読取ユニットに対して回動可能に設けられた回動ユニットと、
ユーザー情報を取得する取得手段であって、ユーザーと無線通信する通信本体部と前記通信本体部で読み取られた情報を通信する通信ケーブルとを備える通信手段と、を備え、
前記通信手段は前記回動ユニットの内部に着脱可能に装着され、
前記回動ユニットは前記通信ケーブルを格納する格納手段を備える、
ことを特徴とする画像読取装置。
【請求項２】
前記格納手段は、周囲を囲うように設けられた第１のリブであり、前記第１のリブの囲まれた領域の内側に通信ケーブルが格納されることを特徴とする請求項１に記載の画像読取装置。
【請求項３】
前記格納手段は、前記第１のリブの囲まれた領域の内側に、通信ケーブルを巻きつけられた第２のリブを更に備えることを特徴とする請求項２に記載の画像読取装置。
【請求項４】
前記第２のリブを複数そなえることを特徴とする請求項３に記載の画像読取装置。
【請求項５】
前記格納手段は、前記第１のリブを覆うように設けられ、前記回動ユニットに対し着脱可能に設けられたカバー部を備えることを特徴とする請求項２乃至４のいずれか１項に記載の画像読取装置。
【請求項６】
前記回動ユニットは、読取られるシートを搬送する原稿搬送装置であることを特徴とする請求項１乃至５のいずれか１項に記載の画像読取装置。
【請求項７】
前記原稿搬送装置は、画像を読取られるシートを載置する原稿載置トレイと、画像を読取られたシートが排出される原稿排出トレイとをそなえ、前記格納手段は前記原稿排出トレイの内側に設けられることを特徴とする請求項６に記載の画像読取装置。
【請求項８】
前記原稿排出トレイは、上方に突出した突出部を備え、前記格納手段は当該突出部の内側に設けられることを特徴とする請求項７に記載の画像読取装置。
【請求項９】
前記回動ユニットは、前記通信本体部を取りつける取付部と、
前記通信ケーブルと接続される接続部と、を備えることを特徴とする請求項１乃至８のいずれか１項に記載の画像読取装置。
【請求項１０】
画像読取装置の手前−奥方向において、前記格納手段は、前記取付部と、前記接続部の間に配置されることを特徴とする請求項９に記載の画像読取装置。
【請求項１１】
前記通信手段は、カードリーダであることを特徴とする請求項１乃至１０のいずれか１項に記載の画像読取装置。
【請求項１２】
シートの画像を読取る読取り手段を備える読取ユニットと、
前記読取ユニットに対して回動可能に設けられた回動ユニットと、を備え、
前記回動ユニットは、
ユーザと無線通信する通信本体部が取りつけられる取付部と、
前記通信本体部と通信するための通信ケーブルが接続される接続部と、
前記通信ケーブルを収納するための格納手段と、
を備えることを特徴とする画像読取装置。
【請求項１３】
前記格納手段は、周囲を囲うように設けられた第１のリブであることを特徴とする請求項１２に記載の画像読取装置。
【請求項１４】
前記格納手段は、前記第１のリブの囲まれた領域の内側に、通信ケーブルを巻きつけるための第２のリブを更に備えることを特徴とする請求項１３に記載の画像読取装置。
【請求項１５】
前記第２のリブを複数備えることを特徴とする請求項１４に記載の画像読取装置。
【請求項１６】
前記格納手段は、前記第１のリブを覆うように設けられ、前記回動ユニットに対し着脱可能に設けられたカバー部を備えることを特徴とする請求項１３乃至１５のいずれか１項に記載の画像読取装置。
【請求項１７】
前記回動ユニットは、読取られるシートを搬送する原稿搬送装置であることを特徴とする請求項１２乃至１６のいずれか１項に記載の画像読取装置。
【請求項１８】
前記原稿搬送装置は、画像を読取られるシートを載置する原稿載置トレイと、画像を読取られたシートが排出される原稿排出トレイとをそなえ、前記格納手段は前記原稿排出トレイの内側に設けられることを特徴とする請求項１７に記載の画像読取装置。
【請求項１９】
前記原稿排出トレイは、上方に突出した突出部を備え、前記格納手段は当該突出部の内側に設けられることを特徴とする請求項１８に記載の画像読取装置。
【請求項２０】
画像読取装置の手前−奥方向において、前記格納手段は、前記取付部と、前記接続部の間に配置されることを特徴とする請求項１２乃至１９のいずれか１項に記載の画像読取装置。
【請求項２１】
請求項１乃至２０のいずれか１項に記載の画像読取装置と、
前記画像読取装置で読み取られた画像情報に基づいて画像を形成する画像形成部と、を備える画像形成装置。
【発明の詳細な説明】
【技術分野】
【０００１】
本発明は、シートの画像を読み取る画像読取装置及びこれを具備する画像形成装置に関するものである。
【背景技術】
【０００２】
電子写真方式を利用した画像形成装置等において、セキュリティを強化のためにＩＣカードにより本人認証を求めるものが知られている。本人認証を行う認証装置は、画像形成装置本体に設けられるオペレーションパネルに隣接する位置に設けられたり（特許文献１）、画像形成装置本体の側面に設けられたりする（特許文献２）。
【先行技術文献】
【特許文献】
【０００３】
【特許文献１】特許５５９３７０９号公報
【特許文献２】特開２０１３−３００４２号公報
【発明の概要】
【発明が解決しようとする課題】
【０００４】
画像形成装置の小型化する一方、画像形成装置を操作するためのオペレーションパネルはユーザービリティを考慮して大型化する傾向がある。そのため、オペレーションパネルに隣接する位置にユーザーと無線通信をしてユーザー情報を取得する取得手段である認証装置を配置できない場合がある。また、画像形成装置本体の側面に認証装置を設ける構成にすると、画像形成装置本体の側面から飛び出た位置に認証装置が配置されるため、設置場所に広いスペースを用意しなければならない。そこで、画像形成装置本体の上部に設けられる画像読取装置の原稿搬送装置に認証装置を配置することが考えられる。
【０００５】
認証装置は、ユーザーの情報を取得する取得部と取得部で読み取られた情報を通信する通信ケーブルが設けられている。このような認証装置は、画像形成装置の標準装備としてではなく、オプションで販売されることがある。オプションで販売される認証装置は、販売する各メーカーで通信ケーブルの長さが異なっており、自動原稿搬送装置に認証装置を設ける場合は、この通信ケーブルの取り扱いを適切に行う必要がある。特に、認証装置の通信ケーブルが長い場合には、原稿搬送装置の内部における通信ケーブルの取り扱いが困難になるおそれがある。
【課題を解決するための手段】
【０００６】
本発明に係る画像読取装置の一態様は、シートの画像を読取る読取り手段を備える読取ユニットと、前記読取ユニットに対して回動可能に設けられた回動ユニットと、ユーザー情報を取得する取得手段であって、ユーザーと無線通信する通信本体部と前記通信本体部で読み取られた情報を通信する通信ケーブルとを備える通信手段と、を備え、前記通信手段は前記回動ユニットの内部に着脱可能に装着され、前記回動ユニットは前記通信ケーブルを格納する格納手段を備える、ことを特徴とする。
【発明の効果】
【０００７】
本発明によれば、ユーザー情報を取得する取得手段を備える画像読取装置において、通信ケーブルの取り扱いを容易に行うことができる。
【図面の簡単な説明】
【０００８】
【図１】図１（ａ）は、実施形態１に係る画像形成装置の正面図である。図１（ｂ）は、実施形態１に係る画像形成装置の斜視図である。
【図２】図２（ａ）は、実施形態１に係る画像読取装置の正面図である。図２（ｂ）は、実施形態１に係る画像読取装置の斜視図である。
【図３】図３（ａ）は、実施形態１において、原稿搬送装置をリーダユニットに対して開いた状態を表す斜視図である。図３（ｂ）は、実施形態１に係るヒンジの拡大図である。
【図４】図４（ａ）は原稿搬送装置の原稿圧板を取り除いた状態の斜視図、図４（ｂ）は原稿搬送装置にカードリーダを取りつける場合の説明図である。
【図５】図５（ａ）は格納部にＵＳＢケーブルを格納した状態の斜視図である。図５（ｂ）は原稿搬送装置の原稿圧板を装着した状態の斜視図である。
【図６】原稿搬送装置の断面図である。
【図７】原稿搬送装置を下方からみた平面図である。
【図８】図８（ａ）は、第１の実施形態において、ＵＳＢケーブルが長い場合の説明図である。図８（ｂ）は、第１の実施形態において、ＵＳＢケーブルが短い場合の説明図である。
【図９】第２の実施形態に係る原稿搬送装置の斜視図である。
【図１０】図１０（ａ）、図１０（ｂ）、図１０（ｃ）は、実施形態２に係る原稿搬送装置を下方からみた平面図である。
【図１１】第３の実施形態に係る原稿搬送装置の斜視図である。
【図１２】図１２（ａ）、図１２（ｂ）、図１２（ｃ）は、実施形態３に係る原稿搬送装置を下方からみた平面図である。
【図１３】図１３（ａ）、図１３（ｂ）は、実施形態３に係る原稿搬送装置を下方からみた平面図である。
【発明を実施するための形態】
【０００９】
以下に図面を参照して、この発明の好適な実施の形態を例示して詳しく説明する。画像読取装置は、フラットベッドスキャナのように装置単体として構成する場合の他、複写機やファクシミリなどの画像形成装置における画像読取部として用いられることも可能である。また、画像読取装置は、自動原稿搬送装置（以下、原稿搬送装置とする）を備え、原稿を搬送しながら読取る構成であっても良い。
【００１０】
なお、以下の実施の形態に記載されている構成部品の寸法、材質、形状、その相対配置などは、特に特定的な記載がない限りは、この発明の範囲をそれらのみに限定する趣旨のものではない。
【００１１】
［第１の実施形態］
（構成概略）
図１（ａ）は、複写機である画像形成装置１の正面図である。図１（ｂ）は、画像形成装置１の斜視図である。
【００１２】
画像形成装置１は、画像読取装置２と画像形成装置本体１１を備える。画像読取装置２は、回動ユニットである原稿搬送装置１０、読取ユニットであるリーダユニット１２、原稿載置トレイ１５、原稿排出トレイ１６を備える。画像形成装置本体１１は、画像形成部１３、シート給送部１４、操作パネル９を備える。操作パネル９は、画像表示部９（ａ）、テンキー９（ｂ）を備える。画像形成部１３は、画像形成装置本体１１の内部に設けられ、公知の電子写真方式による画像形成を行う。画像形成部１３は、感光体、露光装置、現像装置、転写装置、定着装置を備える。露光装置は、画像情報に基づき感光体に静電潜像を形成する。現像装置は、静電潜像をトナーにより現像剤像に現像する。転写装置は、現像剤像をシート給送部１４から搬送されて来たシート状の記録媒体に転写する。定着装置は、記録媒体の上の現像剤像を記録媒体に定着させる。コピーの場合、画像情報は、画像読取装置２により原稿を読取ることで生成され、画像形成部１３へ送信される。プリントの場合、画像情報は、外部装置からプリントジョブとして画像形成部１３に送信される。
【００１３】
図２（ａ）は、図１（ａ）の画像読取装置２の拡大正面図である。図２（ｂ）は、図１（ｂ）の画像読取装置２の拡大斜視図である。
【００１４】
画像読取装置２の原稿載置トレイ１５と原稿排出トレイ１６は、鉛直方向において少なくとも一部が重なるように構成されている。原稿搬送装置１０の手前側には読取部Ｂが設けられている。読取部Ｂの内部にはユーザーの認証情報を取得するカードリーダ１８が備えられている。カードリーダ１８は、ユーザと無線通信をする通信手段であり、具体的には非接触式のＩＣカードリーダである。ユーザーは読取部Ｂに認証カードをかざすことにより、カードリーダ１８にカードの認証情報を読取らせる。カードリーダ１８により読み取られた認証情報は、画像形成装置１に記憶されたユーザー情報と照会され、画像形成装置１はユーザーを認証する。なお、ユーザー情報は画像形成装置１とネットワークでつながったサーバーに記憶させておいても良い。
【００１５】
原稿を画像読取装置２により流し読みする場合について説明をする。ユーザーは、原稿を原稿載置トレイ１５に原稿を載置し、操作パネル９により原稿の読取りを指示する。原稿は不図示の給送ローラにより給送され、読取部３ａにより原稿の表面の画像を読取られる。なお、原稿の両面を読取る場合は、読取部３ｂにより原稿の裏面の画像が読取られる。読取部３ａは、ＣＩＳ（ｃｏｎｔａｃｔ  ｉｍａｇｅ  ｓｅｎｓｏｒ）やＣＭＯセンサ（Ｃｏｍｐｌｅｍｅｎｔａｒｙ  Ｍｅｔａｌ  Ｏｘｉｄｅ  Ｓｅｍｉｃｏｎｄｕｃｔｏｒ  ｓｅｎｓｏｒ）を適用することが可能である。原稿排出トレイ１６には、傾斜部１７が設けられている。傾斜部１７は、隣接する部分よりも突出するように設けられている。原稿排出トレイ１６に排紙された原稿は、傾斜部１７により幅方向（原稿の搬送方向と直交する方向）の中央部のみが持ち上げられる。そのため、原稿の幅方向の端部に、原稿排出トレイ１６と隙間ができ、ユーザーが隙間に手を入れやすくなるため、原稿をユーザーが取出し易くなる。
【００１６】
図３（ａ）は、原稿搬送装置１０をリーダユニット１２に対して開いた状態を表す斜視図である。原稿搬送装置１０は、ヒンジ２２を中心にリーダユニット１２に対して回動可能に設けられている。原稿搬送装置１０が回動することにより、原稿搬送装置は読取ガラス４を開放する開き位置と、読取ガラス４を閉塞する閉じ位置を取ることが可能である。原稿搬送装置１０は、原稿圧板１９を備えている。リーダユニット１２は読取ガラス４を備えている。図３（ｂ）は、ヒンジ２２の拡大図である。連結部２２ａは原稿搬送装置１０とヒンジ２２をする。連結部２２ｂはリーダユニット１２とヒンジ２２を連結する。ヒンジ２２は回転軸２２ｃを備えており、原稿搬送装置１０はヒンジ回転軸２２ｃを中心としてリーダユニット１２に対して回動する構造となっている。
【００１７】
原稿を読取ガラス４に載置して読取りを行う場合について説明をする。ユーザーは原稿搬送装置１０を開き、読取ガラス４を露出させる。ユーザーは、読取ガラス４に、画像を下にして原稿を載置し、原稿搬送装置１０を閉じる。原稿搬送装置１０の原稿圧板１９は、読取ガラス４に原稿を押し付ける。ユーザーが、操作パネル９により原稿の読取を指示すると、読取部３（ａ）が移動し原稿の画像を読取る。
【００１８】
原稿排出トレイ１６（カードリーダ１８の取付方法および構成）
図４（ａ）は原稿搬送装置１０の原稿圧板１９を取り除いた状態の斜視図、図４（ｂ）は原稿搬送装置１０にカードリーダ１８を取りつける場合の説明図である。図４（ａ）、図４（ｂ）を用いて、カードリーダ１８を原稿搬送装置１０の原稿排出トレイ１６内部への取り付ける取付方法、及び取り付け部の構造について説明を行う。
【００１９】
先述したように、カードリーダ１８は、画像形成装置１に標準装備されるものではなく、オプションとして追加されることが多い。オプションのカードリーダ１８を取り付ける場合は、図３（ａ）のように原稿搬送装置１０をリーダユニット１２に対して互いを連結するヒンジ２２によって略９０°開放する。原稿圧板１９は原稿搬送装置１０に対して着脱可能に取り付けられている。原稿圧板１９を原稿搬送装置１０から取り除くと、図４（ａ）に示すように原稿排出トレイ１６の内部が露出する。原稿排出トレイ１６の内部には、取付部２０、カバー部材２４、ＵＳＢ接続部２１ｂが設けられている。ＵＳＢ接続部２１ｂは、原稿搬送装置１０に設けられたコントローラと接続されている。取付部２０及びカバー部材２４は、原稿排出トレイ１６の内側に着脱可能に装着されている。カードリーダ１８は、カード読取部であるカードリーダ本体１８ａ（通信本体部）と通信ケーブルであるＵＳＢケーブル１８ｂが備えられている。
【００２０】
カードリーダ１８を取りつける手順を説明する。取付けの作業はサービスマンが行っても良いし、ユーザが行っても良い。原稿排出トレイ１６から取付部２０を取りはずす。カードリーダ本体１８ａを取付部２０に保持し、取付部２０を原稿排出トレイ１６の内部に固定する。ＵＳＢケーブル１８ｂの端部にはＵＳＢコネクタが付いており、ＵＳＢコネクタをＵＳＢ接続部２１ｂに接続する。
【００２１】
このようにカードリーダ１８を取りつけることにより、原稿搬送装置１０のコントローラはカードリーダ１８と通信可能になる。
【００２２】
原稿排出トレイ１６カードリーダ１８はメーカーにより様々な種類があり、これに伴って設けられているＵＳＢケーブル１８ｂの長さは約４０ｃｍ〜約１８０ｃｍまで様々な長さが存在する。原稿搬送装置１０は、リーダユニット１２に対して開閉可能に設けられている。そのため、カードリーダ１８の取付けの際に、ＵＳＢケーブル１８ｂを適切に束ねないまま原稿搬送装置１０の内部に格納した場合、原稿搬送装置１０の開閉動作に伴い、ＵＳＢケーブル１８ｂが原稿搬送装置１０の内部でガタガタ動いてしまう。結果、ＵＳＢケーブルが周辺の部品に衝突して異音が発生する。あるいは、前述したようにカードリーダ１８の取り付け過程で例えば原稿圧板１９のような周囲の部品と線噛みしてしまい断線してしまうおそれがある。
【００２３】
本実施形態では、原稿搬送装置１０の内部にカードリーダ１８から延在するＵＳＢケーブル１８ｂの余剰を格納する格納手段である格納部２３が設けられる。格納部２３は原稿排出トレイ１６の内側に矩形状のリブ２３ａで形成される。ＵＳＢケーブル１８ｂは、リブ２３ａの内側の領域に格納される。
【００２４】
図５（ａ）は格納部２３にＵＳＢケーブル１８ｂを格納した状態の斜視図、図５（ｂ）は原稿搬送装置１０の原稿圧板１９を装着した状態の斜視図である。
【００２５】
カードリーダ１８を取りつける手順を説明する。
【００２６】
ＵＳＢケーブル１８ｂを図５（ａ）に示すようにリブ２３ａに囲われた内部に束ねられた状態で収納する。ＵＳＢケーブル１８ｂがリブ２３ａから突出しないようにカバー部材２４によって覆われた後に原稿圧板１９によって閉じられる。（図５（ｂ））。
【００２７】
本実施形態によれば、ＵＳＢケーブル１８ｂの余剰した部分は、格納部２３から飛び出して原稿圧板１９の動きを妨げることがない。結果、ユーザーにより原稿搬送装置１０を開閉させたとしても、ＵＳＢケーブル１８ｂの余剰部分がある程度拘束されているため、別の部材にぶつかった時の異音が発生しにくい。原稿排出トレイ１６また原稿搬送装置１０と例えば原稿圧板１９などの周囲の部品との間に挟まれて断線するおそれがない。また、ＵＳＢケーブル１８ｂの余剰した部分を格納部２３に格納することでサービスマン等がカードリーダ１８の取付作業を容易に行うことができる。なお、カバー部材２４により格納部２３を覆う構成にしているが、ＵＳＢケーブル１８ｂが格納部２３に格納され略固定できるような構成であれば、カバー部材２４を設けなくても良い。
【００２８】
格納部２３の構成についてさらに説明をする。
【００２９】
図６は格納部２３を通るように切断した原稿搬送装置１０の断面図である。
【００３０】
先述したように、原稿排出トレイ１６の一部は突出部である傾斜部１７が設けられている。傾斜部１７は、原稿の排出方向Ａに向かって上方向に凸状に傾斜している。本実施形態では、傾斜部１７の内部は空洞になっており、当該空洞を格納部２３として利用している。この構造によって原稿搬送装置１０の限られた空間においてＵＳＢケーブル１８ｂを効率的に格納することができる。
【００３１】
図７は、原稿搬送装置１０を下方からみた平面図である。画像形成装置１をユーザーが使用する場合に、ユーザーに近い位置を手前、ユーザーから遠い位置を奥とする。ユーザーがカードリーダ１８に認証カードをかざす場合、手前に読取位置Ｂ（図２（ｂ）参照）があった方が、操作がしやすい。そのため、取付部２０は手前―奥方向において、中央部よりも手前側に配置されている。一方、コントローラのような電装系は、ユーザーがアクセスしにくい奥側に配置される。そのため、ＵＳＢ接続部２１は、手前―奥方向において、中央部よりも奥側に配置されている。そして、格納部２３は、手前―奥方向において、取付部２０とＵＳＢ接続部２１ａとの間に配置されている。このように構成することで、ＵＳＢケーブル１８ｂの余剰部を格納部２３に格納しやすくすることができる。
【００３２】
［第２の実施形態］
次に本発明における第２の実施形態について説明を行う。
【００３３】
図８（ａ）は、第１の実施形態において、ＵＳＢケーブル１８ｂが長い場合の説明図、図８（ｂ）は、第１の実施形態において、ＵＳＢケーブル１８ｂが短い場合の説明図である。図８（ａ）のように、ＵＳＢケーブル１８ｂが長い場合は、格納部２３に格納されるＵＳＢケーブル１８ｂの長さが十分に長い。一方、図８（ｂ）のように、ＵＳＢケーブル１８ｂが短い場合は、格納部２３に格納されるＵＳＢケーブル１８ｂの長さが短くなり、格納部２３においてＵＳＢケーブル１８ｂを十分に拘束できないおそれがある。
【００３４】
第２の実施形態では、短いＵＳＢケーブルに対しても好適に格納部２３に格納することができるものである。
【００３５】
図９は第２の実施形態を示す斜視図である。図１０（ａ）から図１０（ｃ）は原稿搬送装置１０を下方からみた平面図である。なお、説明のためカバー部材２４は省略をしている。実施形態２における格納部２３は、矩形状のリブ２３ａの内側にさらに矩形状のリブ２３ｂが設けられている。この点以外は実施形態１と同様の構成である。したがって同様の構成については説明を省略する。
【００３６】
図１０（ｂ）は、ＵＳＢケーブル１８ｂが長い場合の格納状態を示す図である。
【００３７】
ＵＳＢケーブル１８ｂはリブ２３ｂを囲うように巻き付けられると共に、リブ２３ａによって囲われている。このときＵＳＢケーブルは２３ｂに巻き付けられたことによる復元力Ｆが発生し、リブ２３ａの内側に押し付けられる。従って、ＵＳＢケーブル１８ｂは格納部２３に拘束される。
【００３８】
図１０（ｃ）は、ＵＳＢケーブル１８ｂが短い場合の格納状態を説明する図である。
【００３９】
ＵＳＢケーブル１８ｂはリブ２３ａとリブ２３ｂの間に挟み込まれるように配置される。このとき、ＵＳＢケーブル１８ｂは復元力Ｆが作用し、リブ２３ａとリブ２３ｂ
に押し付けられる。従って、ＵＳＢケーブル１８ｂは格納部２３の内部に拘束される。
【００４０】
このように第２の実施形態の構造であればＵＳＢケーブルが長い場合であっても短い場合であってもＵＳＢケーブルを格納部２３内部に拘束することができる。この結果、図９のように原稿搬送装置１０をリーダユニット１２に対して略９０°回転させた状態においてカードリーダ１８を取り付ける場合に、ＵＳＢケーブル１８ｂが格納部２３から外れてしまうことを抑制することができる。そのため、サービスマン等がカードリーダ１８を取りつける作業を容易に実施することができる。また、ＵＳＢケーブル１８ｂが格納部２３から脱落することを抑制し、異音の発生を抑制することができる。
【００４１】
［第３の実施形態］
次に本発明における第３の実施形態について説明を行う。
【００４２】
図１１は第３の実施形態に係る原稿搬送装置１０の斜視図である。図１２（ａ）から図１２（ｃ）及び図１３（ａ）、図１３（ｂ）は原稿搬送装置１０を下方から見た平面図である。なお、説明のためカバー部材２４は省略をしている。実施形態３における格納部２３は、矩形状のリブ２３ａの内側にさらに矩形状のリブ２３ｃが複数備えられている。この点以外は実施形態１と同様の構成である。したがって、同様の構成については説明を省略する。
【００４３】
図１２（ｂ）は、ＵＳＢケーブル１８ｂが長い場合の格納状態を示す図である。
【００４４】
ＵＳＢケーブル１８ｂはリブ２３ｃを囲うように巻き付けられると共に、リブ２３ａによって囲われている。このときＵＳＢケーブルは２３ｃに巻き付けられたことによる復元力Ｆが発生し、リブ２３ａの内側に押し付けられる。従って、ＵＳＢケーブル１８ｂは格納部２３に拘束される。
【００４５】
図１２（ｃ）は、ＵＳＢケーブル１８ｂが短い場合の格納状態を説明する図である。ＵＳＢケーブル１８ｂはリブ２３ｃを囲うように巻き付けられるとともにリブ２３ａによって囲われる。このとき、ＵＳＢケーブル１８ｂには復元力Ｆが作用し、リブ２３ａに押し付けられる。従って、ＵＳＢケーブル１８ｂは格納部２３の内部に拘束される。
【００４６】
図１３（ａ）、図１３（ｂ）は、ＵＳＢケーブル１８ｂが更に長い場合の巻き付け例である。複数のリブ２３ｃを設けることにより、図１３（ａ）、図１３（ｂ）のようにＵＳＢケーブル１８の長さに応じて柔軟に巻きつけ方を変更することができ、ＵＳＢケーブル１８ｂを格納部２３の内部に拘束することができる。
【００４７】
このように第３の実施形態の構造であればＵＳＢケーブル１８ｂが非常に長い場合であっても短い場合であってもＵＳＢケーブルを格納部２３内部に拘束することができる。この結果、図１１のように原稿搬送装置１０をリーダユニット１２に対して略９０°回転させた状態においてカードリーダ１８を取り付ける場合に、ＵＳＢケーブル１８ｂが格納部２３から外れてしまうことを抑制することができる。そのため、サービスマン等がカードリーダ１８を取りつける作業を容易に実施することができる。また、ＵＳＢケーブル１８ｂが格納部２３から脱落することを抑制し、異音の発生を抑制することができる。原稿排出トレイ１６
（その他）
上記実施形態で説明した格納部２３の構成は一例である。格納部２３は原稿搬送装置１０の内部に設けられ、ＵＳＢケーブル１８ｂのような通信ケーブルを原稿搬送装置１０の内部において拘束できるような構成であれば良い。例えば、次のような構成が考えられる。上記実施形態で説明したような矩形状のリブ２３ａで囲う構成（なおリブ２３ａは必ずしも矩形状である必要はなく、円形状や楕円形状であっても良い。）。カバー部材２４のような別体の部材で覆うことで通信ケーブルを拘束する構成。通信ケーブルを該格納部に巻き付けることによってケーブル自体を拘束することができる構成。
【００４８】
また、上述した実施形態では、カードリーダを取りつける装置として原稿搬送装置１０を用いて説明したがこれに限られるものではない。原稿搬送機能を有さない圧板ユニットの内部に通信ケーブルを格納するための格納部を設ける構成であっても良い。
【００４９】
また、上述した実施形態では、電子写真方式の画像形成装置で説明を行ったがこれに限られるものではない。電子写真方式の画像形成装置に代えて、インクを吐出して用紙に画像を形成するインクジェット方式の画像形成装置に本実施形態に係る発明を適用してもよい。
【００５０】
また、上述した実施形態では、ユーザと無線通信をする通信装置である認証装置としてカードリーダを用いた例を説明したがこれに限られるものではない。指紋認証装置、生体認証（静脈認証）等のその他の認証装置を適用することも可能である。また、認証装置以外にも、ＮＦＣ（Ｎｅａｒ  Ｆｉｅｌｄ  Ｃｏｍｍｕｎｉｃａｔｉｏｎ）を利用した画像のデータを通信するための通信装置に適用しても良い。
【符号の説明】
【００５１】
１  画像形成装置
２  画像読取装置
１０  原稿搬送装置
１１  画像形成装置本体
１２  リーダユニット
１６  原稿排出トレイ
１７  傾斜部
１８  カードリーダ
１８ａ  カードリーダ本体
１８ｂ  ＵＳＢケーブル
２０  取付部
２３  格納部
【図１】
2018064156.tif 000003
【図２】
2018064156.tif 000004
【図３】
2018064156.tif 000005
【図４】
2018064156.tif 000006
【図５】
2018064156.tif 000007
【図６】
2018064156.tif 000008
【図７】
2018064156.tif 000009
【図８】
2018064156.tif 000010
【図９】
2018064156.tif 000011
【図１０】
2018064156.tif 000012
【図１１】
2018064156.tif 000013
【図１２】
2018064156.tif 000014
【図１３】
2018064156.tif 000015